(57)【要約】      （修正有）【課題】表示板を取り外すことなく、下方支持部を取り外すのみで容易に横架材及び支柱に取り付け及び取り外しを行うことができる表示装置を提供する。【解決手段】立設された支柱と、支柱を架設する横架材とを有する柵に取付可能な表示装置１００において、端面から光を入射して、主面から光を出射する導光板２０と、導光板の少なくとも１つの端面に配置される光源部材１０と、導光板の背面に配置される反射板３０と、導光板の正面に配置される表示板４０と、導光板等を保持する筐体５０と、筐体の背面上方に設けられる横架材取付具６０と、を備え、横架材取付具６０は、横架材の上面に支持される上方支持部と、横架材を固定するために上方支持部に対して取り外し可能又は回動可能に設けられてなる下方支持部を備えている。【選択図】図２
2015060063.tif 000002
【特許請求の範囲】
【請求項１】
立設された支柱と、前記支柱を架設する横架材とを有する柵に取付可能な表示装置において、
端面から光を入射して、主面から光を出射する導光板と、
前記導光板の少なくとも１つの端面に対向して配置される光源部材と、
前記導光板の背面側に配置される反射板と、
前記導光板の正面側に配置される表示板と、
前記導光板、前記光源部材、前記反射板及び前記表示板を保持する筐体と、
前記筐体の背面上方に設けられる横架材取付具と、
を備え、
前記横架材取付具は、前記横架材の上面に支持される上方支持部と、前記横架材を固定するために上方支持部に対して取り外し可能又は回動可能に設けられてなる下方支持部を備えていることを特徴とする表示装置。
【請求項２】
前記上方支持部は、前記横架材の表面に沿うような曲面を有していることを特徴とする請求項１に記載の表示装置。
【請求項３】
前記下方支持部は、前記筐体に螺合部材によって固定可能であることを特徴とする請求項１又は２に記載の表示装置。
【請求項４】
前記下方支持部は、前記横架材を背面側から支持する背面支持面を有することを特徴とする請求項１から３のいずれか１項に記載の表示装置。
【請求項５】
前記横架材取付具の内面には、緩衝材が設けられていることを特徴とする請求項１から４のいずれか１項に記載の表示装置。
【請求項６】
前記筐体には、背面下方に支柱取付具が設けられ、
前記支柱取付具は、前記支柱に対し、水平方向に挿入されて固定可能に設けられていることを特徴とする請求項１から５のいずれか１項に記載の表示装置。
【請求項７】
請求項１から６のいずれか１項に記載の表示装置が横架材に沿って複数配置されており、
前記光源部材に連結されたそれぞれのコネクタ同士が互いに連結可能であることを特徴とする表示装置。
【発明の詳細な説明】
【技術分野】
【０００１】
本発明は、表示装置に関する。
【背景技術】
【０００２】
柵に取り付ける取付部材を有する表示装置としては、横断防止柵、歩道用防護柵、転落防止柵、歩行者・車止め等の柵において、その上下横架材の間に、上下取付具を介して看板を装着し、取付具が横架材に締める筒二つ割れ形の前後把持体からなり、且つ把持体に看板の縁部を締める開閉ブラケットを突設してあって、両方の把持体を開閉可能に連結する一方、開閉ブラケットをそれに貫通するねじにより締め付けることにより、横架材と看板の縁部とを同時に締めるように構成した看板の取付装置が開示されている（特許文献１）。
【０００３】
しかし、かかる看板の取付装置は、横架材と看板の縁部とを同時に締め付ける機構であるため、横架材から取り外す度に、看板と取付装置が分離してしまうことになるので、取り扱いが煩雑であり、取り付けが面倒であるという問題点があった。
【先行技術文献】
【特許文献】
【０００４】
【特許文献１】登録実用新案第３０５６２０５号公報
【発明の開示】
【発明が解決しようとする課題】
【０００５】
本発明は、このような課題を鑑みてされたものであり、横架材に対して容易に取付可能な表示装置を提供することを目的とする。
【課題を解決するための手段】
【０００６】
本発明は、上述の主目的を達成するために、以下の手段を採った。
【０００７】
本発明にかかる表示装置は、立設された支柱と、前記支柱を架設する横架材とを有する柵に取付可能な表示装置において、
端面から光を入射して、主面から光を出射する導光板と、
前記導光板の少なくとも１つの端面に対向して配置される光源部材と、
前記導光板の背面側に配置される反射板と、
前記導光板の正面側に配置される表示板と、
前記導光板、前記光源部材、前記反射板及び前記表示板を保持する筐体と、
前記筐体の背面上方に設けられる横架材取付具と、を備え、
前記横架材取付具は、前記横架材の上面に支持される上方支持部と、前記横架材を固定するために上方支持部に対して取り外し可能又は回動可能に設けられてなる下方支持部を備えていることを特徴とする。
【０００８】
本発明にかかる表示装置によれば、横架材に取り付けるための横架材取付具が筐体の背面に表示板の取り外しとは独立して設けられているので、表示板を取り外すことなく容易に横架材に取り付け及び取り外しを行うことができる。また、柵に取り付けた後は、横架材取付具によって、表示装置は上下方向、横方向、前後方向の全ての移動が規制される。そのため、柵に確実に固定することができる。また、本発明にかかる表示装置によれば、横架材を固定するのは上方にある横架材取付具のみであるので、横架材が一本架設されていれば取り付けることができ、横架材の本数や各横架材間の幅等に左右されることはない。さらに、原則として横架材取付具は、上方支持部が載置可能であれば取り付けることができるので、横架材の断面形状に左右されることなく、断面円形、断面四角形等種々の形態の横架材を取り付けることができる。こうして、取り付けられた表示装置は、端面から入射された光を効率よく表面から出射して、看板、案内板その他の表示装置として使用することができる。
【０００９】
また、本発明にかかる表示装置において、前記上方支持部は、前記横架材の表面に沿うような曲面を有していることを特徴とするものであってもよい。例えば、横架材が断面円形の場合には、円形の沿うように一部を円柱状の一部となるように形成することで、より横架材との接触面積が増加し、安定して横架材に載置することができる。これにより、取り付けた後の表示装置のがたつき等を抑えることができる。
【００１０】
さらに、本発明にかかる表示装置において、前記下方支持部は、前記筐体に螺合部材によって固定可能であることを特徴とするものであってもよい。かかる構成を採用することによって、ドライバー等の簡単な工具で柵に取付け及び取り外しを行うことができる。
【００１１】
さらに、本発明にかかる表示装置において、前記下方支持部は、前記下方支持部は、前記横架材を背面側から支持する背面支持面を有することを特徴とするものであってもよい。かかる構成を採用することによって、横架材の側面を支持することができ、表示装置ががたつくことを防止することができる。
【００１２】
さらに、本発明にかかる表示装置において、前記横架材取付具の内面には、緩衝材が設けられていることを特徴とするものであってもよい。かかる構成を採用することで、横架材と横架材取付具とのがたつきを抑えることができるとともに、横架材が損傷する可能性を低減することができる。
【００１３】
さらに、本発明にかかる表示装置において、前記筐体には、背面下方に支柱取付具が設けられ、前記支柱取付具は、前記支柱に対し、水平方向に挿入されて固定可能に設けられていることを特徴とするものであってもよい。かかる構成を採用することで、支柱取付具に支柱を取り付ける際に、工具を使用することなく、横方向にスライドさせるだけで支柱と固定することができる。また、比較的低く、体勢的に取り付けづらい位置に配置された場合であっても、しゃがんだり、かがんだりする必要がなく取付が容易となる。これにより、表示装置の下方が前後方向、横方向等の水平方向移動することを防止することができる。なお、仮に支柱が所望の位置に存在しない場合であっても横架材のみに横架材取付具を取付ければ、下方側の固定はなくなるものの支柱取付具で支柱を固定することなく使用することも可能である。
【００１４】
さらに、本発明にかかる表示装置が横架材に沿って複数配置されており、前記光源部材に連結されたそれぞれのコネクタ同士が互いに連結可能であることを特徴とするものであってもよい。かかる構成を採用することで複数の表示装置を柵に取り付けることができ、表示面積が大きくなるのでより多くの表示情報を見る者に報知することができる。また、複数の表示装置を横架材に沿って複数配置することで、いずれかの支柱取付具を支柱に固定することができるようになる。
【図面の簡単な説明】
【００１５】
【図１】図１は、実施形態にかかる表示装置１００の使用状態を示す斜視図である。
【図２】図２は、実施形態にかかる表示装置１００の分解斜視図である。
【図３】図３は、実施形態にかかる光源部材１０を示す斜視図である。
【図４】図４は、実施形態にかかる導光板２０に形成される拡散ドット２９のバリエーションを示す斜視図である。
【図５】図５は、実施形態にかかる表示装置１００の背面側斜視図である。
【図６】図６は、実施形態にかかる表示装置１００の拡大斜視図である。
【図７】図７は、実施形態にかかる表示装置１００の横架材取付具６０の変更例を示す斜視図である。
【図８】図８は、実施形態にかかる表示装置１００を複数配置した状態を示す斜視図である。
【発明を実施するための形態】
【００１６】
本発明にかかる表示装置１００の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。各図において対応する構成要素には同一又は類似の符号が付されている。なお、本明細書において、「正面側」とは、人が視認する側をいい、「背面側」とは、正面側と反対をいい、それぞれの部材の「正面」又は「背面」とは、それぞれ正面側又は背面側にある面をいう。
【００１７】
（実施形態）
実施形態にかかる表示装置１００が図１及び図２に示されている。図１は、実施形態にかかる表示装置１００の使用状態を示す正面側斜視図であり、図２は、表示装置１００の分解斜視図である。実施形態にかかる表示装置１００は、図２に示すように、主として、光源部材１０と、導光板２０と、反射板３０と、表示板４０と、筐体５０と、横架材取付具６０と、支柱取付具７０（図５参照）と、を備えている。本実施形態にかかる表示装置１００は、図１に示すように、主として垂直方向へ立設される支柱９１と、この支柱９１間を架設する横架材９２とを有する柵９０に取り付けられて使用される。
【００１８】
光源部材１０は、図３に示すように、主として、１又は２以上の発光ダイオード（以下「ＬＥＤ１２」という。）と、ＬＥＤ１２を保持する光源保持部材１１と、を備えている。ＬＥＤ１２は、平面発光型、側面発光型、砲弾型等いずれのタイプであってもよい。好ましくは、平面発光型を使用するとよい。ＬＥＤ１２の光の色は、限定するものではなく、例えば、白色、赤色、橙色、黄色、緑色、青色、藍色又は紫色のいずれかの色若しくはそれらの色の組み合わせ等であってもよい。
【００１９】
光源保持部材１１は、ＬＥＤ１２を保持し、導光板２０に固定するための部材である。光源保持部材１１は、ＬＥＤ１２が貼着される底面１１ａ及びこの底面１１ａの両側から立設配置される側面１１ｂを有する断面略Ｕ字状に形成される。
【００２０】
光源部材１０は、ＬＥＤ１２及び光源保持部材１１の他に、ＬＥＤ１２に電力を供給する電源ユニット（図示しない。）と、を備えていてもよい。電源ユニットとしては、外部から入力された電力をＬＥＤ１２の定格に適合させるため、降圧、直流の定電流への整流、整流後のパルス変調及びノイズの除去等を行い、ＬＥＤ１２に駆動電力を供給する。例えば、変圧機、整流器、コンデンサ等から構成されるものがある。実施形態においては、図２に示すように、光源部材１０は、導光板２０の上端面２０ａ及び下端面２０ｂに配置される。配置された２つの光源部材１０は、図３に示すように、ハーネス１３によって、防水されたコネクタ１４を介して外部電源と連結される。光源部材１０は、ウレタンやシリコン等で被覆して防水加工を施すことが好ましい。なお、電源としては、太陽電池や太陽電池で得られた電気を蓄電した蓄電池を用いても構わない。これら太陽電池等を用いることで、環境にやさしい表示装置１００とすることができる。
【００２１】
導光板２０は、図２に示すように、矩形の平板状に形成されてなり、光源部材１０からの光を少なくともいずれかの端面から入射されて、主として正面側の主面２１から光を出射する。本実施形態においては、上述したように上端面２０ａ及び下端面２０ｂの２つの端面から光が入射されて正面の主面２１から出射する。導光板２０は、光が内部を通過可能な透明な樹脂で作製されており、例えば、メチルメタクリレートやエチルメタクリレート等のメタクリル樹脂の他、メチルアクリレート、エチルアクリレート等のアクリル製樹脂、ポリカーボネート、ポリエチレン、ガラス等の種々の素材を用いることができる。高透過性を有する素材であれば特に限定するものではない。また、端面から入射された光を効率よく正面の主面２１から出射するため、導光板２０の背面側には、拡散ドット２９を設けたり、又は拡散ドット２９に代えて若しくは拡散ドット２９に加えて、導光板２０の背面を粗面に形成したりしてもよい。
【００２２】
拡散ドット２９は、図４（図４は、導光板２０の背面から視た状態を示している）に示すように、主として凹部に形成される。凹部の形状は特に限定するものではなく、四角錐形状（図４Ａ）、円錐形状（図４Ｂ）、三角錐形状（図４Ｃ）、四角錐作業台形状（図４Ｄ）、半円球形状（図４Ｅ）等種々の穴の形態を選択することができる。また拡散ドットの作製方法としては、特に限定するものではなく、超音波加工、加熱加工、レーザー加工、切削加工等種々の加工方法を採用することができる。四角錐型の拡散ドット２９を超音波加工によって作製する場合には、先端面に拡散ドット２９を反転させた形状を有する加工ドットが縦横に複数マトリクス状に配置されている超音波加工ホーンを、導光板２０に対して垂直に押圧することによって、加工ドットの形状が反映された形状の四角錐型の拡散ドット２９を形成することができる。本実施形態においては、拡散ドット２９は、略四角錐形状に凹む凹部からなり、四角錐底面に相当する位置が導光板２０の背面側の主面に位置するように設けられている。なお、個々の拡散ドット２９の大きさは、同じであっても異なっていても良い。例えば、ＬＥＤ１２から遠ざかるにつれて、四角錐型の拡散ドット２９の各辺を徐々に長くしたり、四角錐型の拡散ドット２９の深さを徐々に深くしたりしても良い。こうすればＬＥＤ１２から近く光が強い位置では拡散される光量が小さくなり、光源部材１０から遠ざかるにつれて拡散される光量が大きくなるため、正面の主面２１で出射する光の光量を均等に近づけることができる。また、より強く光を出射したい部分のみに大きい拡散ドット２９を形成したりしてもよいし、一部のみが異なる外観を呈するように、一部のみ異なる形状の拡散ドット２９を形成してもよい。本実施形態では拡散ドット２９の各辺の長さが約０．６ｍｍ、深さが約０．４ｍｍであり、隣り合う四角錐型の拡散ドット２９間のピッチが２．０ｍｍに形成されている。勿論、これに限定するものではなく、適宜好適なサイズを選択することができる。好ましくは、四角錐型の拡散ドット２９の各辺の長さは、０．２ｍｍ〜１．５ｍｍで選択するとよい。また、四角錐型の拡散ドット２９の深さは、０．４ｍｍ〜０．８ｍｍで選択するとよい。また、隣り合う四角錐型の拡散ドット２９間のピッチについても特に限定するものではなく、例えば、１．５ｍｍ〜８．０ｍｍのピッチの間から適宜選択することができる。好ましくは、１．５ｍｍ〜３．０ｍｍのピッチに作製するとよい。
【００２３】
なお、拡散ドット２９の形状としては、凹状に凹んだ凹部に限らず、凸状の膨らんだ拡散凸部（図４Ｆ）であってもよい。拡散凸部としては、スクリーン印刷やシルク印刷等によって、盛り上がるように（凸状）内周面に形成してもよい。
【００２４】
また、導光板２０の背面を粗面に形成するには、例えば、サンドペーパーやヤスリで削ったり、サンドブラストによって表面に傷をつけたりしてもよいし、レーザーで表面を加工してもよい。
【００２５】
なお、拡散ドット２９や粗面を作製する際に、上述した後加工の方法だけでなく、予め拡散ドット２９や粗面を成形することができるように作製しておいたインジェクション等の型を使用して導光板の成形時に同時に拡散ドット２９や粗面（図示しない。）を成形してもよい。
【００２６】
反射板３０は、背面側の主面から出射した光を反射し導光板２０内に再度入射して効率よく正面側の主面２１から出射するためのものである。反射板３０としては、例えば、白色の板材や鏡面に形成された板材等を用いることができる。
【００２７】
表示板４０は、表面に表示情報（図示しない）が記載されている板材であり、正面側に配置されて、表示情報を視認した者に情報を報知する機能を有する。板材の素材、色等は特に限定するものではないが、好ましくは、背面側に配置される導光板２０からの光を拡散しつつ出射可能な乳半板を用いるとよい。乳半板を使用することによって、背面からの光を適度に透過、拡散することができるため、眩しさを抑えた適度な明るさの表示板として使用することができる。そのため、見る者にとって表示情報を認識しやすくすることができる。
【００２８】
筐体５０は、図２に示すように、背面側から配置される背面側筐体５１と、正面側から配置される正面側筐体５２と、を備えており、背面側筐体５１と正面側筐体５２とで挟み込むようにして導光板２０、反射板３０及び表示板４０等を固定する。背面側筐体５１は、全体が底面５１ａに孔が形成され、周囲の側面５１ｃを有する箱状に形成されており、底面５１ａの孔には、図２に示すようにそれぞれの対角を結ぶように補強片５１ｂが設けられている。この補強片５１ｂにより、背面側筐体５１が歪むのを防止するとともに、背面側筐体５１の内側に配置される反射板３０が柵９０等に衝突して損傷する可能性を低減することができる。底面５１ａの上方端部近傍及び下方端部近傍には、緩衝材６４が設けられており、背面側筐体５１と反射板３０との正面及び背面方向のがたつきを防止することができる。また、側面５１ｃのうち光源部材１０が配置されない側面側には内側に緩衝材６５が設けられており、反射板３０、導光板２０及び表示板４０の横方向のがたつきを防止することができる。緩衝材としては、ゴム、シリコン又は軟質ウレタン等が使用される。正面側筐体５２は、背面側筐体５１より一回り大きい箱状に形成されており、背面側筐体５１の端面側を覆うように取り付けることができる。正面側筐体５２は、表示板４０が落下するのを防止するため周囲に落下防止用のための保持片部５２ｂを残し、底面５２ａの中心部が開放されている。そのため、表示板４０の表示情報を外部から視認することができる。正面側筐体５２の保持片部５２ｂの内面側には、緩衝材６６が設けられている（正面側筐体５２の点線で表されている部分に配置される。）。これにより、正面側筐体５２と表示板４０との正面及び背面方向のがたつきを防止することができる。緩衝材としては、ゴム、シリコン又は軟質ウレタン等が使用される。なお、背面側筐体５１及び正面側筐体５２の下方の側面には、図５に示すように水抜き孔５３を設けると良い。水抜き孔５３を設けることで、仮に筐体５０内に水が侵入したとしてもこの水抜き孔５３から水を排出することができる。
【００２９】
横架材取付具６０は、背面側筐体５１の上方端部に設けられており、柵９０等の横架材９２と固定するための部材である（図１参照）。横架材取付具６０は、図６に示すように、横架材９２に取り付けられた際に、上面側に配置される上方支持部６１と、下方側に配置される下方支持部６２とを備えている。上方支持部６１は、横架材９２の直上に配置される上方片６１ａからまっすぐ延びた背面側筐体５１の上方側壁に取り付けられる側壁取付片６１ｂ（図２参照）と、上方片６１ａから背面側筐体５１の背面に取り付けられるように９０°に折り曲げて形成された背面取付片６１ｃと、上方片６１ａから側壁取付片６１ｂと反対側に延びて横架材の面に沿うように形成された曲面片６１ｄと、この曲面片６１ｄから垂直下方に延びる垂直下方片６１ｅとからなる。側壁取付片６１ｂ及び背面取付片６１ｃにはそれぞれ螺合部材であるネジで背面側筐体５１の上方側壁及び背面に固定するためにネジ孔が設けられている。また、垂直下方片６１ｅには、下方支持部６２の一部を引っ掛けるための係止孔６１ｆが設けられている。上方支持部６１の内面には、緩衝及び保持を目的として柔軟性を有しかつ弾力性を有する緩衝材６７が設けられている。緩衝材としては、ゴム、シリコン又は軟質ウレタン等が使用される。一方、下方支持部６２は、上方支持部６１に対して取り付け及び取り外し自在に設けられてなる。下方支持部６２は、上方支持部６１の垂直下方片６１ｅの端部近傍において取り付け及び取り外し自在に設けられ、かつ横架材９２を背面側から支持する背面支持面６３を有する垂直片６２ａと、横架材９２の下方直下に配置される水平片６２ｂと、水平片６２ｂから垂直片６２ａと反対側において垂直下方に延びる背面垂直片６２ｃと、を備えている。この背面垂直片６２ｃには、背面側筐体５１にネジで固定することができるようにネジ孔が設けられており、ネジによって背面側筐体５１と固定することができる。また、垂直片６２ａは、上方端部に折返部６２ｄが設けられており、係止孔６１ｆに引っ掛けることができる。下方支持部６２の内面にも上方支持部６１と同様に、緩衝及び保持を目的として柔軟性を有しかつ弾力性を有する緩衝材６７が設けられている。緩衝材としては、ゴム、シリコン又は軟質ウレタン等が使用される。
【００３０】
支柱取付具７０は、柵９０において垂直に立設される支柱９１と固定するための部材である（図１参照）。支柱取付具７０は、図５に示すように、断面が略Ｕ字状に形成されており、背面側筐体５１の下方に、上方から見た場合にＵ字状に視認でき、Ｕ字の開放側が水平であってかつ開放方向が横架材と平行になるように形成されている。よって、支柱９１に対して水平方向に支柱取付具７０をずらすことで、開放側から支柱９１が嵌め込まれるように取り付けられる。支柱取付具７０は、取り付けられる支柱９１より若干狭く形成して弾性力によって支柱９１を固定可能に設けても良い。
【００３１】
以上のように形成されたそれぞれの各構成部品は、以下のようにして組み立てられる。まず、図３に示すように、光源部材１０を光源保持部材１１の底面１１ａに貼り付けた後、図２に示すように、光源部材１０を導光板２０の端面と対向するように上端面２０ａ及び下端面２０ｂに取り付ける。そして、導光板２０の正面側に表示板４０を、背面側に反射板３０を配置する。そして、これらを背面側筐体５１及び正面側筐体５２で挟むようにして収容する。こうして正面側に表示板４０による表示情報が視認可能な表示装置１００とされる。
【００３２】
こうして作製された表示装置１００は、柵９０等に取り付けられて使用される。柵９０に取り付けるには、まず、横架材取付具６０の下方支持部６２を取り外し、上方支持部６１の下方側を開放させる。そして、上方支持部６１の下方から横架材９２に載置する。この状態から水平方向にスライドして、支柱取付具７０の開放側から支柱９１を嵌め込む。そして、下方支持部６２の折返部６２ｄを係止孔６１ｆに再度取り付けて下方のネジ孔を介してネジで背面側筐体５１に固定し、取付が完了する。
【００３３】
以上のように作製された表示装置１００によれば、横架材９２及び支柱９１に取り付ける横架材取付具６０及び支柱取付具７０が筐体５０の背面に設けられているので、表示板４０を取り外すことなく、ドライバー等の簡単な工具により容易に横架材９２及び支柱９１に取り付け及び取り外しを行うことができる。取り付けた後は、横架材取付具６０によって上下方向の移動が規制され、支柱取付具７０によって横方向の移動が規制され、前後方向には横架材取付具６０及び支柱取付具７０の両方によって移動が規制されるため、柵に確実に固定することができる。また、上方支持部６１は、横架材９２の断面形状に合わせて円柱状の一部となるように形成されており、かつ緩衝材６７が上方支持部６１及び下方支持部の内面に設けられているので、横架材９２に安定して載置することができるようになる。これにより、取り付けた後の横架材９２と横架材取付具６０とのがたつきを抑えることができるとともに、横架材９２が損傷する可能性を低減することができる。また、垂直片６２ａに背面支持面を有しているので、下方支持部６２を固定する際に、横架材９２を側方方向から押さえることができる。そのため、この背面支持面によっても、横架材９２と横架材取付具６０とのがたつきを抑えることができる。また、実施形態にかかる表示装置１００によれば、横架材９２を固定するのは上方にある横架材取付具６０のみであるので、横架材９２が一本架設されていれば取り付けることができ、横架材の本数や各横架材の幅等に左右されることはない。こうして、取り付けられた表示装置１００は、端面から入射された光を効率よく表面から出射して、看板や案内板その他の表示装置として使用することができる。
【００３４】
なお、本発明は上述した実施形態に何ら限定されることはなく、本発明の技術的範囲に属する限り種々の態様で実施し得ることはいうまでもない。
【００３５】
上述した各実施形態においては、横架材９２として断面が円形の円柱状のものを使用したが、これに限定するものではなく、四角形等の角柱であってもよい。    
【００３６】
また、上述した実施形態においては、下方支持部６２が上方支持部６１に対して取り外し及び取り付け自在に形成したが、図７に示すように、下方支持部６２が上方支持部６１に対して回動可能に設けてもよい。かかる構成を採用すれば、下方支持部６２が外れることがないのでネジ孔を適合させやすく、より固定しやすくすることができる。    
【００３７】
また、上述した実施形態においては、１つの表示装置１００のみを柵９０に取り付けるものとしたが、図８に示すように、コネクタ１４を筐体５０の側面５１ａのうち垂直に配置された側面側に配置し、複数の表示装置１００のコネクタ１４同士を互いに連結することで、それぞれの光源部材に電源を供給することができるように設けても良い。このように構成することで、複数の表示装置１００を横架材９２に沿って連続して配置することができる。かかる構成を採用することによって、表示面積が増え、より多くの表示情報を見る者に報知することができる。なお、複数の表示装置１１０を配置する際に、表示装置１００ａと表示装置１００ｂのように隣接して配置してもよいし、表示装置１００ｂと表示装置１００ｃのように互いに若干の隙間を開けて配置しても構わない。このように配置することで、表示装置１００のいずれかの支柱取付具を支柱９１に取り付けることができるようになる。
【産業上の利用可能性】
【００３８】
上述した実施の形態で示すように、表示装置として利用することができる。
【符号の説明】
【００３９】
１１０…光源部材、１１…光源保持部材、１１ａ…底面、１１ｂ…側面、１２…ＬＥＤ、
１３…ハーネス、１４…コネクタ、２０…導光板、２０ａ…上端面、２０ｂ…下端面、
２１…主面、２９…拡散ドット、３０…反射板、４０…表示板、５０…筐体、
５１…背面側筐体、５１ａ…底面、５１ｂ…補強片、５２…正面側筐体、
５２ａ…底面、５２ｂ…保持片部、５３…水抜き孔、６０…横架材取付具、
６１…上方支持部、６１ａ…上方片、６１ｂ…側壁取付片、６１ｃ…背面取付片、
６１ｄ…曲面片、６１ｅ…垂直下方片、６１ｆ…係止孔、６２…下方支持部、
６２ａ…垂直片、６２ｂ…水平片、６２ｃ…背面垂直片、６２ｄ…折返部、
６３…背面支持面、６５、６６、６７…緩衝材、７０…支柱取付具、
９０…柵、９１…支柱、９２…横架材、
１００、１００ａ、１００ｂ、１００ｃ…表示装置
【図１】
2015060063.tif 000003
【図２】
2015060063.tif 000004
【図３】
2015060063.tif 000005
【図４】
2015060063.tif 000006
【図５】
2015060063.tif 000007
【図６】
2015060063.tif 000008
【図７】
2015060063.tif 000009
【図８】
2015060063.tif 000010